(57)【要約】【課題】スケートボードの操作制御を補助する方向転換調整構造の提供すること。【解決手段】支持座体２の軸部２０を座体１の傾斜軸部１２に被着し、相対的に回動可能とする。調整機構３が座体１の貫通孔１０１内に挿入した調整部材３０、調整部材３０に螺合した伝動部材３１、伝動部材３１の孔３１２及び弾性体４内に挿入してその両端を弾性体４の一端縁に掛合した第１規制部材３２、弾性体４内に挿通してその両端を弾性体４の他端縁に掛合し、その中間部を支持座体２の柱体２５に掛合した第２規制部材３３を含む。調整部材３０を回動して伝動部材３１を直線移動し、第１規制部材３２及び第２規制部材３３を介して弾性体４を変形し、弾性体４の引張力を調整する。【選択図】図１
0003162847.tif 000002
【実用新案登録請求の範囲】
【請求項１】
ボードの下面に取り付けるための座体と、
前記座体の下部に対して回動可能に設置された支持座体と、
前記座体と前記支持座体との間に設けられ、前記支持座体を前記座体に向けて引張する弾性体と、
前記弾性体の引張力を調整する調整機構と、を含んで構成され、
前記座体は、
平板状をなしたベース部の下面前端に下方に向けて突出した凸部と
前記凸部に前後方向に向けて形成された貫通孔と、
前記ベース部の下面後部に下方に向って前方に傾斜して突出した傾斜軸部と、
前記傾斜軸部に貫通状に設置された軸方向孔と、
前記ベース部の四隅に形成された取付用孔とを備え、
前記支持座体は、
前記座体の前記傾斜軸部の位置に対応して設置された軸部と、
前記軸部に貫通状に設置された中心孔と、
前記軸部の一側から外側に向かって延伸された連結部と、
前記連結部から両外側に向かって延伸され、かつホイールを取付可能とされた水平軸と、
前記連結部の上面から上方に向かって突出形成された柱体とを備え、
前記調整機構は、
前記座体の前記貫通孔内に挿入された調整部材と、
前記調整部材に螺合された伝動部材と、
Ｕ字形状をなした線材よりなると共に、その中間部にＵ字形の湾曲部が形成され、且つその両端にそれぞれ鉤部が形成されてなる第１規制部材及び第２規制部材とを備え、
前記調整部材は、筒状をなした軸身部と、前記軸身部の一端に設けられた駆動部とを備え、前記軸身部の内側に軸心と同心に雌ネジ孔が形成され、
前記伝動部材は、一端に孔を有する棒体の外周面の一端寄りから他端縁に亘って前記雌ネジ孔に螺合する雄ネジ部が形成され、
前記座体と前記支持座体との間は、軸棒が前記支持座体の前記中心孔及び前記座体の前記傾斜軸部の前記軸方向孔に挿通されると共に、前記支持座体の前記軸部を前記傾斜軸部の下方に被せて設置されて前記座体に対して前記支持座体が相対的に回動可能に設けられ、
前記調整部材の前記軸身部が前記座体の前記貫通孔に定位置で回動可能に挿通され、前記伝動部材の前記雄ネジ部が前記調整部材の前記雌ネジ孔に螺合され、
前記伝動部材の前記孔に前記第１規制部材の前記湾曲部が挿通されて位置規制作用を生じさせ、かつ前記第１規制部材の前記湾曲部が前記弾性体の一端から内側に挿通され、前記第１規制部材の両端の前記鉤部が前記弾性体の他端縁に掛止され、
前記第２規制部材の前記湾曲部が前記弾性体の他端から内側に挿通され、かつ前記湾曲部が前記支持座体の前記柱体に掛合され、前記第２規制部材の両端の前記鉤部が前記弾性体の一端縁に掛止され、
前記調整部材の前記雌ネジ孔の回転運動を利用し、前記伝動部材を動かして直線運動をさせ、前記第１規制部材の前記鉤部と前記第２規制部材の前記鉤部との間の距離が変化することにより、前記弾性体を変形状態にさせ、前記支持座体と前記座体間の回動時に必要な力の大きさ及び制御の機敏性をコントロールする、
ことを特徴とするスケートボード方向転換調整構造。
【請求項２】
ボードの下面に取り付けるための座体と、
前記座体の下部に対して回動可能に設置された支持座体と、
前記座体と前記支持座体との間に設けられ、前記支持座体を前記座体に向けて引張する弾性体と、
前記弾性体の引張力を調整する調整機構と、を含んで構成され、
前記座体は、
平板状をなしたベース部の下面前端に下方に向けて突出した凸部と
前記凸部に前後方向に向けて形成された貫通孔と、
前記ベース部の下面後部に下方に向って前方に傾斜して突出した傾斜軸部と、
前記傾斜軸部に貫通状に設置された軸方向孔と、
前記ベース部の四隅に形成された取付用孔とを備え、
前記支持座体は、
前記座体の前記傾斜軸部の位置に対応して設置された軸部と、
前記軸部に貫通状に設置された中心孔と、
前記軸部の一側から外側に向かって延伸された連結部と、
前記連結部から両外側に向かって延伸され、かつホイールを取付可能とされた水平軸と、
前記連結部の上面から上方に向かって突出形成された柱体とを備え、
前記調整機構は、
前記座体の前記貫通孔内に挿通された伝動部材と、
前記伝動部材に螺合された調整部材と、
Ｕ字形状をなした線材よりなると共に、その中間部にＵ字形の湾曲部が形成され、且つその両端にそれぞれ鉤部が形成されてなる第１規制部材及び第２規制部材とを備え、
前記調整部材は、貫通状の雌ネジ孔を有する蝶ナットで構成され、
前記伝動部材は、一端に孔を有する棒体の外周面の一端寄りから他端縁に亘って前記雌ネジ孔に螺合する雄ネジ部が形成され、
前記座体と前記支持座体との間は、軸棒が前記支持座体の前記中心孔及び前記座体の前記傾斜軸部の前記軸方向孔に挿通されると共に、前記支持座体の前記軸部を前記傾斜軸部の下方に被せて設置されて前記座体に対して前記支持座体が相対的に回動可能に設けられ、
前記伝動部材の前記雄ネジ部が前記座体の前記貫通孔に挿通されると共に、前記雄ネジ部の末端が前記貫通孔を貫通して露出され、前記雄ネジ部の露出された部分に前記調整部材の前記雌ネジ孔が定位置で回転可能に螺合され、前記蝶ナットの回転運動を利用して前記伝動部材を直線運動可能とさせ、
前記伝動部材の前記孔に前記第１規制部材の前記湾曲部が挿通されて位置規制作用を生じさせ、かつ前記第１規制部材の前記湾曲部が前記弾性体の一端から内側に挿通され、前記第１規制部材の両端の前記鉤部が前記弾性体の他端縁に掛止され、
前記第２規制部材の前記湾曲部が前記弾性体の他端から内側に挿通され、かつ前記湾曲部が前記支持座体の前記柱体に掛合され、前記第２規制部材の両端の前記鉤部が前記弾性体の一端縁に掛止され、
前記調整部材の前記雌ネジ孔の回転運動を利用し、前記伝動部材を動かして直線運動をさせ、前記第１規制部材の前記鉤部と前記第２規制部材の前記鉤部との間の距離が変化することにより、前記弾性体を変形状態にさせ、前記支持座体と前記座体間の回動時に必要な力の大きさ及び制御の機敏性をコントロールする、
ことを特徴とするスケートボード方向転換調整構造。
【請求項３】
前記調整部材と前記座体との間に、前記調整部材が力を受けたときの吸収緩衝用の中空状の緩衝体が挟着された、ことを特徴とする請求項１又は２に記載のスケートボード方向転換調整構造。
【請求項４】
前記支持座体の上面に位置する前記柱体の周面に環状溝が形成され、前記環状溝に前記第２規制部材の前記湾曲部が掛合された、
ことを特徴とする請求項３に記載のスケートボード方向転換調整構造。
【請求項５】
前記支持座体の上面に位置する前記柱体の周面に環状溝が形成され、前記環状溝に環状凹陥溝を備えた中空状のライナが回動可能に嵌設され、前記第２規制部材の前記湾曲部が前記ライナの前記環状凹嵌溝に掛合された、
ことを特徴とする請求項３に記載のスケートボード方向転換調整構造。
【請求項６】
前記支持座体の軸部の一部分から上方に向かって延伸され突出した状態に位置規制部が設けられ、前記位置規制部は、前記傾斜軸部の側面に対して当接することにより、前記支持座体と前記座体との間の最大回動角度を規制するものである、
ことを特徴とする請求項４に記載のスケートボード方向転換調整構造。
【請求項７】
前記支持座体の軸部の一部分から上方に向かって延伸され突出した状態に位置規制部が設けられ、前記位置規制部は、前記傾斜軸部の側面に対して当接することにより、前記支持座体と前記座体との間の最大回動角度を規制するものである、
ことを特徴とする請求項５に記載のスケートボード方向転換調整構造。
【考案の詳細な説明】
【技術分野】
【０００１】
本考案は、スケートボードに関し、特に、スケートボード方向転換調整構造に関する。
【背景技術】
【０００２】
従来のスケートボードはさまざまな形式があり、すでに長年にわたって販売・使用されているが、その操作方法は、使用者が一方の足でスケートボード上に立ち、他方の足で地面を蹴って押すことで前進の動力を提供した後、さらに使用者の身体の重心位置の揺動を利用して一方で前進の動力としながら他方では方向転換操作を制御して、Ｓ字形を描きながらの前進と方向転換を楽しむものである。
【０００３】
しかしながら、上述の操作はコントロールに慣れた使用者にとって楽しむという目的を達することはできるものの、斜面や湾曲が大きい場所で使用するとき、いかなる調整機能もないために使用者が高速で滑って転倒するという事故の危険が生じやすく、問題である。
【０００４】
同様に、使用者が初心者である場合には、立って身体を揺動させながら前進したり、曲がったりする練習を行うことは難しく、初心者の練習することに対する興味や自信を失わせてしまうことがあり、さらには操作と使用において低速で、または曲がりすぎて転倒する事故の危険が生じやすいことも問題である。
【考案の概要】
【考案が解決しようとする課題】
【０００５】
そこで、本考案は、これに鑑みてなされたもので、その目的は、スケートボードの操作とコントロールを補助するスケートボード方向転換調整構造を提供するものである。
【課題を解決するための手段】
【０００６】
請求項１に係るは、
ボードの下面に取り付けるための座体と、
前記座体の下部に対して回動可能に設置された支持座体と、
前記座体と前記支持座体との間に設けられ、前記支持座体を前記座体に向けて引張する弾性体と、
前記弾性体の引張力を調整する調整機構と、を含んで構成され、
前記座体は、
平板状をなしたベース部の下面前端に下方に向けて突出した凸部と
前記凸部に前後方向に向けて形成された貫通孔と、
前記ベース部の下面後部に下方に向って前方に傾斜して突出した傾斜軸部と、
前記傾斜軸部に貫通状に設置された軸方向孔と、
前記ベース部の四隅に形成された取付用孔とを備え、
前記支持座体は、
前記座体の前記傾斜軸部の位置に対応して設置された軸部と、
前記軸部に貫通状に設置された中心孔と、
前記軸部の一側から外側に向かって延伸された連結部と、
前記連結部から両外側に向かって延伸され、かつホイールを取付可能とされた水平軸と、
前記連結部の上面から上方に向かって突出形成された柱体とを備え、
前記調整機構は、
前記座体の前記貫通孔内に挿入された調整部材と、
前記調整部材に螺合された伝動部材と、
Ｕ字形状をなした線材よりなると共に、その中間部にＵ字形の湾曲部が形成され、且つその両端にそれぞれ鉤部が形成されてなる第１規制部材及び第２規制部材とを備え、
前記調整部材は、筒状をなした軸身部と、前記軸身部の一端に設けられた駆動部とを備え、前記軸身部の内側に軸心と同心に雌ネジ孔が形成され、
前記伝動部材は、一端に孔を有する棒体の外周面の一端寄りから他端縁に亘って前記雌ネジ孔に螺合する雄ネジ部が形成され、
前記座体と前記支持座体との間は、軸棒が前記支持座体の前記中心孔及び前記座体の前記傾斜軸部の前記軸方向孔に挿通されると共に、前記支持座体の前記軸部を前記傾斜軸部の下方に被せて設置されて前記座体に対して前記支持座体が相対的に回動可能に設けられ、
前記調整部材の前記軸身部が前記座体の前記貫通孔に定位置で回動可能に挿通され、前記伝動部材の前記雄ネジ部が前記調整部材の前記雌ネジ孔に螺合され、
前記伝動部材の前記孔に前記第１規制部材の前記湾曲部が挿通されて位置規制作用を生じさせ、かつ前記第１規制部材の前記湾曲部が前記弾性体の一端から内側に挿通され、前記第１規制部材の両端の前記鉤部が前記弾性体の他端縁に掛止され、
前記第２規制部材の前記湾曲部が前記弾性体の他端から内側に挿通され、かつ前記湾曲部が前記支持座体の前記柱体に掛合され、前記第２規制部材の両端の前記鉤部が前記弾性体の一端縁に掛止され、
前記調整部材の前記雌ネジ孔の回転運動を利用し、前記伝動部材を動かして直線運動をさせ、前記第１規制部材の前記鉤部と前記第２規制部材の前記鉤部との間の距離が変化することにより、前記弾性体を変形状態にさせ、前記支持座体と前記座体間の回動時に必要な力の大きさ及び制御の機敏性をコントロールする、
ことを特徴とする。
【０００７】
請求項２に係るスケートボード方向転換調整構造は、
ボードの下面に取り付けるための座体と、
前記座体の下部に対して回動可能に設置された支持座体と、
前記座体と前記支持座体との間に設けられ、前記支持座体を前記座体に向けて引張する弾性体と、
前記弾性体の引張力を調整する調整機構と、を含んで構成され、
前記座体は、
平板状をなしたベース部の下面前端に下方に向けて突出した凸部と
前記凸部に前後方向に向けて形成された貫通孔と、
前記ベース部の下面後部に下方に向って前方に傾斜して突出した傾斜軸部と、
前記傾斜軸部に貫通状に設置された軸方向孔と、
前記ベース部の四隅に形成された取付用孔とを備え、
前記支持座体は、
前記座体の前記傾斜軸部の位置に対応して設置された軸部と、
前記軸部に貫通状に設置された中心孔と、
前記軸部の一側から外側に向かって延伸された連結部と、
前記連結部から両外側に向かって延伸され、かつホイールを取付可能とされた水平軸と、
前記連結部の上面から上方に向かって突出形成された柱体とを備え、
前記調整機構は、
前記座体の前記貫通孔内に挿通された伝動部材と、
前記伝動部材に螺合された調整部材と、
Ｕ字形状をなした線材よりなると共に、その中間部にＵ字形の湾曲部が形成され、且つその両端にそれぞれ鉤部が形成されてなる第１規制部材及び第２規制部材とを備え、
前記調整部材は、貫通状の雌ネジ孔を有する蝶ナットで構成され、
前記伝動部材は、一端に孔を有する棒体の外周面の一端寄りから他端縁に亘って前記雌ネジ孔に螺合する雄ネジ部が形成され、
前記座体と前記支持座体との間は、軸棒が前記支持座体の前記中心孔及び前記座体の前記傾斜軸部の前記軸方向孔に挿通されると共に、前記支持座体の前記軸部を前記傾斜軸部の下方に被せて設置されて前記座体に対して前記支持座体が相対的に回動可能に設けられ、
前記伝動部材の前記雄ネジ部が前記座体の前記貫通孔に挿通されると共に、前記雄ネジ部の末端が前記貫通孔を貫通して露出され、前記雄ネジ部の露出された部分に前記調整部材の前記雌ネジ孔が定位置で回転可能に螺合され、前記蝶ナットの回転運動を利用して前記伝動部材を直線運動可能とさせ、
前記伝動部材の前記孔に前記第１規制部材の前記湾曲部が挿通されて位置規制作用を生じさせ、かつ前記第１規制部材の前記湾曲部が前記弾性体の一端から内側に挿通され、前記第１規制部材の両端の前記鉤部が前記弾性体の他端縁に掛止され、
前記第２規制部材の前記湾曲部が前記弾性体の他端から内側に挿通され、かつ前記湾曲部が前記支持座体の前記柱体に掛合され、前記第２規制部材の両端の前記鉤部が前記弾性体の一端縁に掛止され、
前記調整部材の前記雌ネジ孔の回転運動を利用し、前記伝動部材を動かして直線運動をさせ、前記第１規制部材の前記鉤部と前記第２規制部材の前記鉤部との間の距離が変化することにより、前記弾性体を変形状態にさせ、前記支持座体と前記座体間の回動時に必要な力の大きさ及び制御の機敏性をコントロールする、
ことを特徴とする。
【０００８】
請求項３に係るスケートボード方向転換調整構造は、請求項１又は２に係るスケートボード方向転換調整構造において、
前記調整部材と前記座体との間に、前記調整部材が力を受けたときの吸収緩衝用の中空状の緩衝体が挟着された、ことを特徴とするものである。
【０００９】
請求項４に係るスケートボード方向転換調整構造は、請求項３に係るスケートボード方向転換調整構造において、
前記支持座体の上面に位置する前記柱体の周面に環状溝が形成され、前記環状溝に前記第２規制部材の前記湾曲部が掛合された、
ことを特徴とするものである。
【００１０】
請求項５に係るスケートボード方向転換調整構造は、請求項３に係るスケートボード方向転換調整構造において、
前記支持座体の上面に位置する前記柱体の周面に環状溝が形成され、前記環状溝に環状凹陥溝を備えた中空状のライナが回動可能に嵌設され、前記第２規制部材の前記湾曲部が前記ライナの前記環状凹嵌溝に掛合された、
ことを特徴とするものである。
【００１１】
請求項６に係るスケートボード方向転換調整構造は、請求項４に係るスケートボード方向転換調整構造において、
前記支持座体の軸部の一部分から上方に向かって延伸され突出した状態に位置規制部が設けられ、前記位置規制部は、前記傾斜軸部の側面に対して当接することにより、前記支持座体と前記座体との間の最大回動角度を規制する、
ことを特徴とするものである。
【００１２】
請求項７に係るスケートボード方向転換調整構造は、請求項５に係るスケートボード方向転換調整構造において、
前記支持座体の軸部の一部分から上方に向かって延伸され突出した状態に位置規制部が設けられ、前記位置規制部は、前記傾斜軸部の側面に対して当接することにより、前記支持座体と前記座体との間の最大回動角度を規制する、
ことを特徴とするものである。
【考案の効果】
【００１３】
本考案に係るスケートボード方向転換調整構造によれば、回動調整機構の調整部材により伝動部材及び第１規制部材を動かして直線運動させ、且つ第１規制部材に支持座体の柱体上に掛合された第２規制部材と相対運動させて、第１規制部材と第２規制部材により弾性体を押圧して変形を生じさせることにより、変形された弾性体が生じる反発力の大きさによって支持座体及び座体間の回動時に必要な力を決定し、且つその前進速度及び方向転換の大きさを制御するほか、同時に多重の位置の調整作用を備え、異なるレベルの使用者が揺動前進及びカーブの操作を容易に制御でき、操作とコントロールの機敏性と使用の楽しみを向上することができる。
【図面の簡単な説明】
【００１４】
【図１】本考案の第１実施形態に係るスケートボード方向転換調整構造を分解して示す斜視図である。
【図２】第１実施形態に係るスケートボード方向転換調整構造の組み立て状態を示す横断面図である。
【図３】第１実施形態に係るスケートボード方向転換調整構造の組み立て状態を示す縦断面図である。
【図４】第１実施形態に係るスケートボード方向転換調整構造の調整後の状態を示す横断面図である。
【図５】第１実施形態に係るスケートボード方向転換調整構造の座体に対する支持座体の反時計方向への回動状態を示す横断面図である。
【図６】第１実施形態に係るスケートボード方向転換調整構造の座体に対する支持座体の時計方向への回動状態を示す横断面図である。
【図７】第２実施形態に係るスケートボード方向転換調整構造の組み立て状態を示縦断面図である。
【考案を実施するための形態】
【００１５】
以下、本考案の実施の形態を図面を参照して説明する。図１は第１実施形態に係るスケートボード方向転換調整構造を分解して示す斜視図であり、図２は第１実施形態に係るスケートボード方向転換調整構造の組み立て状態を示す横断面図、図３は第１実施形態に係るスケートボード方向転換調整構造の組み立て状態を示す縦断面図であり、図４は第１実施形態に係るスケートボード方向転換調整構造の調整後の状態を示す横断面図であり、図５は第１実施形態に係るスケートボード方向転換調整構造の座体に対する支持座体の反時計方向への回動状態を示す横断面図であり、図６は第１実施形態に係るスケートボード方向転換調整構造の座体に対する支持座体の時計方向への回動状態を示す横断面図である。
【００１６】
本考案のスケートボード方向転換調整構造は、図１から図６に示すように、ボード９の下面に取り付けるための座体１と、座体１の下部に対して回動可能に設置された支持座体２と、座体１と支持座体２との間に設けられ、支持座体２を座体１に向けて引張する弾性体４と、弾性体４の引張力を調整する調整機構３と、を含んで構成されている。
【００１７】
［座体１］
座体１は、平板状をなしたベース部を有し、ベース部の下面前端には、下方に向けて突出した凸部１０が形成され、凸部１０には前後方向に貫通孔１０１が設けられている。ベース部の下面後部には、下方に向って前方に傾斜して突出した傾斜軸部１２が形成され、傾斜軸部１２には軸方向に貫通して軸方向孔１２０が設けられている。座体１のベース部の四隅には取付用孔１３が形成され、図示しない固定部材（例えば、ボルト、リベット、短柱等）を取付用孔１３に挿通した後、座体１をボード９の下面に対して取り付けることで、座体１がボード９に一体に結合される（図３）。
【００１８】
［支持座体２］
支持座体２は、座体１の傾斜軸部１２の位置に対応して設置された軸部２０と、軸部２０の一側から前方かつ両側方に向かって延伸して形成された連結部２１と、連結部２１の両側から外側に向かって延伸された水平軸２２、２３とを備えている。軸部２０には、軸線方向に貫通した中心孔２０１が形成され、軸部２０の上部の一部分には、上方に向かって延伸して突出された位置規制部２０２が設けられている。連結部２１の内面には、上方に向かって突出形成された柱体２５が設けられ、柱体２５の上部周面には環状溝２５０が形成されている。なお、水平軸２２、２３の先端部分にはホイール９５が取り付けられる（図２、図３）。
【００１９】
また、柱体２５の上部周面に形成されている環状溝２５０は、第２規制部材３３を直接掛合させるか、或いは間接的に（即ち、環状凹陥溝５０を備えた中空状のライナ５を環状溝２５０に回動可能に嵌設する）環状凹陥溝５０に第２規制部材３３を掛合させる。
【００２０】
［調整機構３］
調整機構３は、座体１の貫通孔１０１内に挿入された調整部材３０と、調整部材３０に螺合された伝動部材３１と、中間部分が伝動部材３１に形成された孔３１２に挿通され、かつコイルバネよりなる弾性体４の内側に挿入され、両端部分が弾性体４の一方の端縁に掛止された第１規制部材３２と、中間部分が弾性体４の内側に挿入され、かつ支持座体２の柱体２５に掛合され、両端部分が弾性体４の他方の端縁に掛止された第２規制部材３３とを備えている。
【００２１】
調整部材３０は、筒状をなした軸身部３０２と、軸身部３０２の一端に設けられた駆動部３０１（溝状、突起状、つまみ状等を最良とする）とを備え、軸身部３０２の内側には軸心と同心に雌ネジ孔３０３が形成され、調整部材３０は、所謂、袋ナットで構成されている。伝動部材３１は、一端に孔３１２を有する棒体よりな、その外周面の一端寄りから他端縁に亘って雌ネジ孔３０３に螺合する雄ネジ部３１１が形成されている。
【００２２】
第１規制部材３２及び第２規制部材３３は略Ｕ字形状をなした線材よりなり、その中間部にＵ字形の湾曲部３２０、３３０が形成され、且つその両端にそれぞれ鉤部３２１、３３１が形成されている。
【００２３】
［組み付け構造］
図３に示すように、中空状のスリーブ７を支持座体２の中心孔２０１に挿入させた後、さらにボルト（軸棒）８をスリーブ７及び座体１の傾斜軸部１２の軸方向孔１２０に挿通した後、支持座体２の軸部２０を傾斜軸部１２の下方に被せて設置し、ボルト８を締め込むことにより、座体１に対して支持座体２が相対的に回動可能に設けられる。
【００２４】
また、支持座体２の軸部２０の外側に位置規制部２０２が突出した状態で配置されているため、支持座体２の回動時に、位置規制部２０２が座体１の下面に突出した傾斜軸部１２の側面１２１に当接して、支持座体２と座体１との間の最大回動角度が規制される。
【００２５】
貫通孔１０１は調整機構３の調整部材３０または伝動部材３１を挿入させて定位置で回動させるために用いられる。調整部材３０の軸身部３０２を中空状の緩衝体６（即ち調整部材３０が力を受けるときに力を吸収する緩衝用）及び座体１の貫通孔１０１に挿通させた後、伝動部材３１の雄ネジ部３１１を調整部材３０の雌ネジ孔３０３に螺合する。この構成によって、調整部材３０の雌ネジ孔３０３の回転運動を利用して伝動部材３１を前後方向に直線運動させることができる。
【００２６】
伝動部材３１の孔３１２に第１規制部材３２の湾曲部３２０を挿通させて位置規制作用を生じさせ、第１規制部材３２の湾曲部３２０をコイルバネよりなる弾性体４の一端から内側に挿通させ、かつ第１規制部材３２の両端の鉤部３２１を弾性体４の他端縁に掛止させる。さらに、第２規制部材３３の湾曲部３３０を弾性体４の他端から内側に挿通させ、湾曲部３３０を支持座体２の柱体２５の環状溝２５０に直接掛合させる、或いは環状溝２５０に回動可能にライナ５が嵌設されている構成の場合、ライナ５の環状凹陥溝５０に湾曲部３３０を掛合させ、且つ第２規制部材３３の両端の鉤部３３１をそれぞれ弾性体４の一端縁に掛止させる。
【００２７】
［作用］
初心者が使用するときは、まず、図２に示す状態において調整部材３０を回動させて図４に示す最もきつい状態にする。雌ネジ孔３０３と雄ネジ部３１１が相互に螺合されていて、伝動部材３１が第１規制部材３２の牽引作用を受けるために、調整部材３０は定位置で回動するため、調整部材３０の回動に伴って伝動部材３１の雄ネジ部３１１が雌ネジ孔３０３の奥部に向けてねじ込まれ、伝動部材３１を直線運動させることができ、かつ図３における弾性体４の左側端縁に掛止されている第１規制部材３２の鉤部３２１が、弾性体４の左側端縁を圧迫してその右側端縁または第２規制部材３３の鉤部３３１の位置に向かって弾性体４を押し縮め、各コイル同士が完全に当接するまで移動させる（即ち、第１規制部材３２の鉤部３２１と第２規制部材３３の鉤部３３１との間の距離が最小化される、または最もきつい状態まで引っ張られる）。
【００２８】
つまり、第１規制部材３２、弾性体４及び第２規制部材３３間が緊密になって剛性に近い状態を形成し（図４参照）、支持座体２と座体１との間の回動可能な角度が最小化され、即ち、操作上最も機敏性のない状態となって、初心者が揺動のバランス感覚、Ｓ字揺動の加速前進及びカーブ等の練習をするときに有用性が高く、初心者の興味と自信を高めることができる。
【００２９】
経験者（中級者又は上級者）が使用するときは、個人の能力に応じて調整部材３０を調整し、適当な距離まで回動させると、第１規制部材３２の鉤部３２１と第２規制部材３３の鉤部３３１間の圧迫作用を受けている弾性体４の被圧迫状態を変化させ、支持座体２と座体１との間で回動可能な角度（即ち図５、図６参照）に調整することができる。
【００３０】
これにより、変形された後の弾性体４が生じる反発力の大きさで、支持座体２と座体１との間の回動時に必要な力を決定することができ、且つその前進速度と方向転換の大きさを制御できるほか、同時に位置調整作用も備えているため、異なるレベルの使用者が揺動前進及びカーブの操作と制御を容易に行うことができ、操作の機敏性とコントロールの楽しさを向上することができる。
【００３１】
図７に本考案の別の実施形態（第２実施形態）を示す。第１実施形態と異なる点は、調整部材３０の駆動部３０１が貫通状の雌ネジ孔３０３を有するつまみ状の蝶ナットで構成されており、伝動部材３１の雄ネジ部３１１は座体１の凸部１０の貫通孔１０１に内側からその外側に向かって挿通され、且つさらに中空状の緩衝体６に挿通した後、雄ネジ部３１１の露出された部分に直接調整部材（蝶ナット）の雌ネジ孔３０３が定位置で回転可能に螺合されている点である。
【００３２】
第１実施形態と同様に、伝動部材３１の孔３１２に第１規制部材３２の湾曲部３２０を挿通させて位置規制作用を生じさせている。すなわち、駆動部３０１の雌ネジ孔３０３の定位置での回転運動を利用して伝動部材３１を動かし、直線運動させることができ、第１規制部材３２の鉤部３２１と第２規制部材３３の鉤部３３１との間の距離が力を受けて変化すると、挟まれて圧迫される弾性体４が押圧されて変形した状態になり、支持座体２と座体１間の回動時に必要な力の大きさ及び操作の機敏性のコントロールすることができる。この実施例に運用している技術手段、原理及び使用操作方法等はすでに上述の内容において詳細に説明しているため、ここでは説明を省略する。
【符号の説明】
【００３３】
１  座体
２  支持座体
３  調整機構
４  弾性体
５  ライナ
６  緩衝体
７  スリーブ
８  ボルト
９  ボード
１０  凸部
１２  傾斜軸部
１３  取付用孔
２０  軸部
２１  連結部
２２  水平軸
２３  水平軸
２５  柱体
３０  調整部材
３１  伝動部材
３２  第１規制部材
３３  第２規制部材
５０  環状凹陥溝
９５  ホイール
１０１  貫通孔
１２０  軸方向孔
１２１  側面
２０１  中心孔
２０２  位置規制部
２５０  環状溝
３０１  駆動部
３０２  軸身部
３０３  雌ネジ孔
３１１  雄ネジ部
３１２  孔
３２０  湾曲部
３２１  鉤部
３３０  湾曲部
３３１  鉤部
【図１】
0003162847.tif 000003
【図２】
0003162847.tif 000004
【図３】
0003162847.tif 000005
【図４】
0003162847.tif 000006
【図５】
0003162847.tif 000007
【図６】
0003162847.tif 000008
【図７】
0003162847.tif 000009